(57)【要約】【課題】運搬時に容易に裂けることなく、かつ、開封道具を使用せず開封することのできる米穀用包装袋を提供する。【解決手段】短辺４Ａの近傍に形成された封止部６から中央部７に向かって１本のミシン目９を形成した。袋体が運搬時に裂けることを防止でき、ミシン目９を引き裂くことにより開封道具を用いずに袋体を開封することができる。ミシン目９と封止部６とのなす角度を１００〜１２０度とした。ミシン目９の裂け目から封止部６に沿って袋体が裂けやすくなり、きれいに開封することができる。【選択図】図１
2011031974.tif 000002
【特許請求の範囲】
【請求項１】
チューブ状に形成されたプラスチックフィルムの一端側が封止部により封止されてなり、短辺と長辺に囲まれた中央部を有する略長方形の米穀用包装袋であって、前記封止部は前記短辺の近傍に形成されるとともに、前記封止部から前記中央部に向かってミシン目が形成されたことを特徴とする米穀用包装袋。
【請求項２】
前記ミシン目は、前記封止部と１００〜１２０度の角度をなすことを特徴とする請求項１記載の米穀用包装袋。
【発明の詳細な説明】
【技術分野】
【０００１】
本発明は、米等の穀類を収容するための米穀用包装袋に関する。
【背景技術】
【０００２】
従来、米穀店では例えば１０ｋｇごとに精米した米を、合成樹脂フィルムの縁部を貼り合せた包装袋に収容して家庭等に配達している。このような包装袋においては、ハサミなどの刃物を使用しなければ開封しにくいという問題があった。
【０００３】
このような問題を解決するため、例えば、特許文献１の段落０００７、図３等に開示されているように、開封用ノッチを設け、この開封用ノッチの部分を手に持って袋体を引き裂くことにより袋体を開封することができるようにしたものが知られている。
【先行技術文献】
【特許文献】
【０００４】
【特許文献１】特開平１１−７０６１９号公報
【発明の概要】
【発明が解決しようとする課題】
【０００５】
しかしながら、例えば１０ｋｇの米を収容した包装袋に開封用ノッチを設けた場合、開封用ノッチ付近を持って袋体を持ち上げたときに、米の１０ｋｇの重力により、開封用ノッチの部分から袋体が裂けてしまうという問題があった。
【０００６】
そこで、本発明は、上記問題に鑑み、運搬時に容易に裂けることなく、かつ、開封道具を使用せず開封することのできる米穀用包装袋を提供することを目的とする。
【課題を解決するための手段】
【０００７】
本発明の米穀用包装袋は、チューブ状に形成されたプラスチックフィルムの一端側が封止部により封止されてなり、短辺と長辺に囲まれた中央部を有する略長方形の米穀用包装袋であって、前記封止部は前記短辺の近傍に形成されるとともに、前記封止部から前記中央部に向かってミシン目が形成されたことを特徴とする。
【０００８】
また、前記ミシン目は、前記封止部と１００〜１２０度の角度をなすことを特徴とする。
【発明の効果】
【０００９】
本発明の米穀用包装袋によれば、短辺の近傍に形成された封止部から中央部に向かってミシン目を形成したので、袋体が運搬時に裂けることを防止できる。また、このミシン目を引き裂くことにより開封道具を使用せず袋体を開封することができる。
【００１０】
また、ミシン目が封止部と１００〜１２０度の角度をなすことで、ミシン目の裂け目から封止部に沿って袋体が裂けやすくなり、きれいに開封することができる。
【図面の簡単な説明】
【００１１】
【図１】本発明の実施例１を示す米穀用包装袋の正面図である。
【図２】同上部分拡大図である。
【図３】同上開封後の部分拡大図である。
【発明を実施するための形態】
【００１２】
以下、本発明の実施例について、図面を参照しながら説明する。
【実施例】
【００１３】
本発明の実施例を示す図１、図２において、１はプラスチックフィルム２からなる米穀用包装袋であり、長辺３Ａ，３Ｂ及び短辺４Ａ，４Ｂを有する略長方形の平面形状を有している。この米穀用包装袋１は、相互に熱融着する性質を有するポリオレフィンなどから形成された２枚のプラスチックフィルム２をヒートシールすることにより形成されたものであり、２つの長辺３Ａ，３Ｂの近傍をヒートシールにより接着することによりチューブ状とし、さらに、このチューブ状に形成されたプラスチックフィルム２の一端側である短辺４Ａの近傍をヒートシールにより封止することにより袋状に形成されている。５Ａ，５Ｂは、長辺３Ａ，３Ｂの近傍にヒートシールにより形成された接着部であり、６Ａは、短辺４Ａの近傍にヒートシールにより形成された封止部である。７は、長辺３Ａ，３Ｂと短辺４Ａ，４Ｂに囲まれた中央部である。
【００１４】
なお、米穀用包装袋１は、一端側である短辺４Ａのみに封止部６が形成され、他端側である短辺４Ｂは開口した状態となっているが、この開口した部分から被収容物として米などを収容した後、短辺４Ｂをヒートシールにより封止するようになっている。
【００１５】
また、米穀用包装袋１の片面において、封止部６から中央部７に向かって１本のミシン目９が形成されている。そして、このミシン目９の両側を指でつまんで引っ張ることで、ミシン目９から米穀用包装袋１が引き裂かれ、さらに、その裂け目から封止部６に沿って接着部５Ｂに至るまで米穀用包装袋１が引き裂かれるように構成されている。図３にミシン目９から封止部６に沿って米穀用包装袋１を引き裂いたときの様子を示す。ミシン目９と接着部５Ｂの間に封止部６に沿って裂け目10が形成されている。
【００１６】
ミシン目９は、ミシン目９から米穀用包装袋１を引き裂いたときにミシン目９の裂け目から連続して封止部６に沿って米穀用包装袋１を裂けやすくするために、封止部６となす角度Ａが１００〜１２０度となるように形成されている。なお、角度Ａが１００度未満では、ミシン目９から連続して封止部６に沿って米穀用包装袋１が裂けにくくなるので好ましくない。また、角度Ａが１２０度を超えると、封止部６が邪魔になってミシン目９の両端をつまみにくくなり、その結果、米穀用包装袋１を引き裂きにくくなるので、好ましくない。ここで、ミシン目９は、封止部６に重なるようにして、封止部６を起点として形成されているが、封止部６と交わるように形成されてもよい。
【００１７】
また、ミシン目９の両端のつまみやすさの観点、及び、ミシン目９から米穀用包装袋１を引き裂くときの力の掛けやすさの観点から、ミシン目９と封止部６の交点から最寄りの長辺３Ｂまでの距離Ｄは、７５ｍｍ以上とするのが好ましい。さらに、裂け目10を、被収容物の注ぎ口として使用する場合は、距離Ｄを１００ｍｍ程度にするのが好ましい。また、ミシン目９の長さＬは、米穀用包装袋１の引き裂きやすさの観点から、１５ｍｍ以上とするのが好ましい。
【００１８】
ミシン目９の破線の長さＸは１〜１．５ｍｍ、ミシン目９の破線の間隔Ｙは２．０〜３．０ｍｍとするのが好ましい。長さＸが１．５ｍｍより大きいとミシン目９から被内容物が漏れる可能性があるので好ましくなく、長さＸが１ｍｍより小さいとミシン目９を引き裂きにくくなるので好ましくない。また、間隔Ｙが３．０ｍｍより大きいと米穀用包装袋１を引き裂きにくくなるので好ましくなく、間隔Ｙが２．０ｍｍより小さいとミシン目９から米穀用包装袋１が運搬中などに裂けてしまう可能性があるので好ましくない。
【００１９】
米穀用包装袋１を製造する場合には、はじめに、長尺の２枚のプラスチックフィルム２を用意し、その１枚にミシン目９と開口孔８を刃物、熱針、レーザーなどを用いて形成する。つぎに、２枚のプラスチックフィルム２を重ねて長辺３Ａ，３Ｂの近傍をヒートシールにより貼り合せ、連続したチューブ状に成形する。なお、２枚のプラスチックフィルム２を貼り合せる代わりに、１枚のプラスチックフィルム２を二つ折に折り畳んでその重なり部を貼り合せて連続したチューブ状に成形してもよい。そして、ミシン目９の一端が重なる位置をヒートシールにより封止するとともに、プラスチックフィルム２を長辺３Ａ，３Ｂの長さに切断し、短辺４Ｂが開口した米穀用包装袋１を形成する。
【００２０】
米穀用包装袋１を使用する場合は、開口した短辺４Ｂから、米などの被収容物を収容し、短辺４Ｂをヒートシールにより封止する。
【００２１】
米などの被収容物を収容した米穀用包装袋１を開封する場合は、ミシン目９の両側を指でつまんで引っ張り、ミシン目９から米穀用包装袋１を引き裂く。引き続きミシン目９の両側を引っ張ると、ミシン目９と封止部６がなす角度Ａが１００〜１２０度となっていることにより、ミシン目９の裂け目から連続して封止部６に沿って米穀用包装袋１が裂ける。そして、封止部６に沿って接着部５Ｂに至るまで、米穀用包装袋１を引き裂くことによって、刃物を用いずとも裂け目10を形成することができる。
【００２２】
以上のように、本実施例の米穀用包装袋１によれば、チューブ状に形成されたプラスチックフィルム２の一端側である短辺４Ａの近傍が封止部６により封止されてなり、短辺４Ａ，４Ｂと長辺３Ａ，３Ｂに囲まれた中央部７を有する略長方形の米穀用包装袋１であって、前記封止部６は前記短辺４Ａの近傍に形成されるとともに、前記封止部６から前記中央部７に向かって１本のミシン目９が形成されたものである。短辺４Ａの近傍に形成された封止部６から中央部７に向かって１本のミシン目９を形成したので、袋体が運搬時に裂けることを防止できる。また、このミシン目９を引き裂くことにより刃物などの開封道具を用いずに袋体を開封することができる。
【００２３】
また、前記ミシン目９は、前記封止部６と１００〜１２０度の角度をなすことで、ミシン目９の裂け目から封止部６に沿って袋体が裂けやすくなり、きれいに開封することができる。
【００２４】
以上、本発明の実施例について詳述したが、本発明は上記各実施例に限定されるものではなく、本発明の要旨の範囲内で種々の変形実施が可能である。例えば、ミシン目９を１本ではなく複数本形成してもよく、また、ミシン目９を直線状に形成するかわりに任意の曲線形状に形成してもよい。
【符号の説明】
【００２５】
１  米穀用包装袋
２  プラスチックフィルム
３Ａ，３Ｂ長辺
４Ａ，４Ｂ  短辺
６  封止部
７  中央部
９  ミシン目
【図１】
2011031974.tif 000003
【図２】
2011031974.tif 000004
【図３】
2011031974.tif 000005